Podtech/llm-jp-corpus-v4-ja_patent huggingface dataset:
(57)【要約】      （修正有）【課題】遺体に装着したとき見栄えを良くし、故人を美しく着飾ることができる遺体用ケープを提供する。【解決手段】１対の伸縮性の環状部材４が、それぞれケープ本体２の正面裏側の左右両側の裾部２ｃに設けられる。各環状部材４は、遺体に装着したとき、遺体の手の指を挿入可能になっている。【選択図】図１
0003153188.tif 000002
【実用新案登録請求の範囲】
【請求項１】
遺体に装着して使用される遺体用ケープであって、
遺体に装着したとき遺体の手の指を挿入可能に正面裏側の左右両側の裾部に１対の環状部材を有することを、
特徴とする遺体用ケープ。
【請求項２】
前記環状部材は伸縮性を有することを、特徴とする請求項１記載の遺体用ケープ。
【考案の詳細な説明】
【技術分野】
【０００１】
本考案は、遺体用ケープに関する。
【背景技術】
【０００２】
従来、遺体に装着する衣装として、死に装束や経帷子などの浴衣風の白装束が一般的に使用されている。また、近年では、ドレスやケープなどの洋装を装着させて、旅立たせることも行われるようになっている（例えば、特許文献１または２参照）。
【先行技術文献】
【特許文献】
【０００３】
【特許文献１】実用新案登録第３１４３１１０号公報
【特許文献２】実用新案登録第３１２６１７５号公報
【考案の概要】
【考案が解決しようとする課題】
【０００４】
しかしながら、遺体は横になった状態で動かないため、特許文献１または２に記載の衣装では、衣装が遺体の身体に密着してボリューム感がなく、見栄えがしないという課題があった。
【０００５】
本考案は、このような課題に着目してなされたもので、遺体に装着したとき見栄えを良くし、故人を美しく着飾ることができる遺体用ケープを提供することを目的とする。
【課題を解決するための手段】
【０００６】
上記目的を達成するために、本考案に係る遺体用ケープは、遺体に装着して使用される遺体用ケープであって、遺体に装着したとき遺体の手の指を挿入可能に左右両側の裾部に１対の環状部材を有することを、特徴とする。
【０００７】
本考案に係る遺体用ケープは、遺体に装着したとき、遺体の手の指を、左右両側の下端に設けられた１対の環状部材に挿入する。指を挿入後、両手を胸の前で組ませることにより、遺体が横になった状態であっても、遺体の胸の部分が盛り上がり、フワリとしたボリューム感を出して見栄えを良くすることができる。
【０００８】
本考案に係る遺体用ケープで、前記環状部材は伸縮性を有することが好ましい。この場合、遺体の身体が大きくても、指を各環状部材に容易に挿入することができる。伸縮性の環状部材としては、ゴム紐が好ましい。
【０００９】
本考案に係る遺体用ケープは、面ファスナーで開閉可能な前開き型であることが好ましい。この場合、遺体に装着しやすい。前開き部分が目立たないよう、前開き部分にフリルなどの装飾が施されていてもよい。
【考案の効果】
【００１０】
本考案によれば、遺体に装着したとき見栄えを良くし、故人を美しく着飾ることができる遺体用ケープを提供することができる。
【図面の簡単な説明】
【００１１】
【図１】本考案の実施の形態の遺体用ケープを示す正面図である。
【考案を実施するための形態】
【００１２】
以下、図面に基づき本考案の実施の形態について説明する。
図１は、本考案の実施の形態の遺体用ケープを示している。
図１に示すように、遺体用ケープ１は、ケープ本体２と面ファスナー３と１対の環状部材４とを有している。
【００１３】
ケープ本体２は、前開き型であり、標準的な体格の人の腰付近までの長さを有している。ケープ本体２は、装飾として、首部２ａの周りに設けられたフリル５ａと、前開き部２ｂに沿って設けられたフリル５ｂと、裾部２ｃの周りに設けられたフリル５ｃと、前開き部２ｂの首部２ａ付近に設けられた布製の花飾り５ｄとを有している。
【００１４】
面ファスナー３は、ケープ本体２の前開き部２ｂの首部２ａ付近、中間付近、および裾部２ｃ付近の３箇所に設けられている。面ファスナー３は、ケープ本体２の前開き部２ｂの左右にそれぞれオス側とメス側とが縫い付けられている。面ファスナー３は、オス側とメス側とを互いに着脱することにより、ケープ本体２の前開き部２ｂを開閉可能になっている。
【００１５】
各環状部材４は、ゴム製で伸縮性を有し、それぞれケープ本体２の正面裏側の左右両側の裾部２ｃに設けられている。各環状部材４は、裾部２ｃのやや正面寄りの、ケープ本体２の内側面に上端が縫い付けられている。各環状部材４は、遺体に装着したとき、遺体の手の指を挿入可能になっている。
【００１６】
次に、作用について説明する。
遺体用ケープ１は、遺体に装着したとき、遺体の手の指を、正面裏側の左右両側の裾部２ｃに設けられた伸縮性の１対の環状部材４に挿入する。挿入する指は、中指であることが好ましいが、他の指であってもよい。指を挿入後、両手を胸の前で組ませることにより、遺体が横になった状態で、遺体の胸の部分が盛り上がり、フワリとしたボリューム感を出して見栄えを良くすることができる。
【００１７】
各環状部材４が伸縮性を有するため、遺体の身体が大きくても、指を各環状部材４に容易に挿入することができる。遺体用ケープ１は、ケープ本体２が前開き型であるため、遺体に装着しやすい。フリル５ｂや花飾り５ｄにより、前開き部２ｂが目立たないため、さらに見栄えがよくなっている。
このように、遺体用ケープ１により遺体の見栄えを良くし、故人を美しく着飾ることができる。そして、故人との最期のお別れを心のこもった厳かなものにすることができる。
【符号の説明】
【００１８】
１  遺体用ケープ
２  ケープ本体
２ａ  首部
２ｂ  前開き部
２ｃ  裾部
３  面ファスナー
４  環状部材
５ａ，５ｂ，５ｃ  フリル
５ｄ  花飾り
【図１】
0003153188.tif 000003
(57)【要約】      （修正有）【課題】強度な接着力と生地のほつれ防止を実現するデニム素材の粘着シートを提供する。  【解決手段】デニム生地に粘着材を貼付し裏紙を裏打ちしたシール状に加工したことを特徴とする。【選択図】図３
0003153154.tif 000002
【実用新案登録請求の範囲】
【請求項１】
アパレル全般に使用されるデニム生地に粘着剤を貼合し裏紙を裏打ちしたシール状にした粘着シート。
【考案の詳細な説明】
【技術分野】
【０００１】本考案は、デニム生地を居住空間（家具や電化製品など）に多種多様に利用できるシート及びシールとして加工し提供する。
【背景技術】
【０００２】デニム素材の被服（ジーンズなど）の愛好家の多くはデニム素材の特性や風合いを好んでおり、被服以外でも生活の中にデニムを取り入れたいという要望があると思い考案。内装業とジーンズ屋を経営しており、依頼や提案を業者にしたが「建装材にジーンズのデニム素材そのものを使用した物は存在しないし、製造もされていない」と何度も断られたため、自分の考案として試作品を作りました。
【先行技術文献】
【特許文献】
【０００３】
【特許文献１】特願平１１−３５０３９７  公報
【考案の概要】
【考案が解決しようとする課題】
【０００４】ファッションとしてのジーンズの風合い、及び機能性、耐久性を色々な物に簡単に貼れ、どんな製品のイメージも変えることができる。
今までにない質感もつ製品を造ることでファッション業界以外の業界にデニム素材での製品の創作を提案し提供する。
【課題を解決するための手段】
【０００５】デニム生地その物に粘着剤を裏打ちし裏紙を付ける。
シール状にすることで製品の長期保存が可能、及び生地そのものに粘着剤を貼合する事で生地のほつれ防止を実現する。加工時には下地専用プライマー（３Ｍ社製ＥＣ−１３６８，ＤＰ−９００）を使用で、何十倍もの接着力を実現。デニムの強度を最大限に発揮し外部の加工、施工を実現する。
【考案の効果】
【０００６】上記のとおりデニムの素材が持つ特性が生かされ、デニム生地での製品の創作に多種多様性が生まれる。質感には面白みがあり目新しさを感じさせる製品になる。
【図面の簡単な説明】
【０００７】
【図１】壁紙と塩ビ化粧シートとデニム粘着化粧シートの構造の説明。
【図２】貼付面との適性と相性。
【図３】デニム粘着化粧シートの構造。
【図４】実施可能参考例。
【考案を実施するための形態】
【０００８】デニムという素材をどの様な物や下地にも使用出来る事で、新たな質感の製品開発ができる。内装、外装材としても今までに現実で施工できなかった場所（部分）や物に使用可能として提供する。
シート、シール、という形態上使用方法は容易であること。
【０００９】自由自在に形状に合わせカッティングできるので活用分野は幅広い。この発明により、新たなデニム素材の家具、家電などの新素材商品を提供する。
すでにカッティングがほどこされたシールの商品化。
【実施例】
【００１０】以下、添付図面により実施例とする。
（図４）▲１▼〜▲１５▼  を実施可能参考例とする。
【産業上の利用可能性】
【００１１】ファッションとしてのデニムは若者達の間で、色落ちや劣化さえも風合いと楽しみヴィンテージジーンズは当時の織り方や機械で織られた生地を好み年代時代背景なども含み高額な金額をジーンズにかけるほどデニム生地のファンは多い。その生地を多種多様な製品に貼れることにより、デニムやジーンズファンが求める商品開発に使用できる。産業上の利用可能性は高く、考案品（試作）のデニム粘着化粧シートそのもので商品化の依頼がある。
【図１】
0003153154.tif 000003
【図２】
0003153154.tif 000004
【図３】
0003153154.tif 000005
【図４】
0003153154.tif 000006
(57)【要約】      （修正有）【課題】優れた耐摩耗性、耐溶着性、耐久性を示すタングステン薄膜被膜を形成したリレー接点を提供する。【解決手段】タングステン電極を加工液中での放電表面被膜加工により、ＤＣ高容量遮断リレー接点部材の表面にタングステン薄膜被膜を形成した。【選択図】図１
0003153155.tif 000002
【実用新案登録請求の範囲】
【請求項１】
タングステン電極を加工液中での放電表面被膜加工により、ＤＣ高容量遮断リレー接点部材の表面にタングステン薄膜被膜を形成したリレー接点。
【請求項２】
タングステン薄膜被膜の厚みを１μｍ〜５００μｍとする請求項１のリレー接点。
【考案の詳細な説明】
【技術分野】
【０００１】  本考案は、ＤＣ高容量遮断リレー接点にタングステン薄膜被膜を形成したリレー接点の軽量化。
【背景技術】
【０００２】  ＤＣ高容量遮断リレー接点にタングステン無垢棒を切断、研磨した厚み０．５ｍｍの材料を接点部材にロウ付けしたものを使用している。【０００３】  しかしながら、タングステン無垢棒を材料にした接点を接点部材にロウ付けしたものは接点部材との密着性及び電流遮断時の電気抵抗溶融熱に対する限界がある。
【考案が解決しようとする課題】
【０００４】  接点部材にタングステンのメッキ薄膜被膜を形成する工法はなく、一方、ＰＶＤ法、ＣＶＤ法によるコーティングで薄膜被膜を形成できるが、これらの方法で得られる被膜は母材との密着力が弱く、剥離し易い欠点がある。
【０００５】  リレー接点にタングステンの無垢材を加工した接点はロウ付けするために厚みが０．５ｍｍあり接点材料を軽量化及び高性能化するために接点部材にタングステン薄膜被膜を形成する。
【課題を解決するための手段】
【０００６】  上記の課題を解決するため、（請求項１）タングステン電極を加工液中での放電表面被膜加工により、ＤＣ高容量遮断リレー接点部材の表面にタングステン薄膜被膜を形成したリレー接点。（請求項２）タングステン薄膜被膜の厚みを１μｍ〜５００μｍとする請求項１のリレー接点。
【０００７】  このリレー接点部材はベリリウム銅合金でいいが、これに限定されるものではない。
【作用】
【０００８】  放電表面被膜加工は、被膜対象の母材と材料電極との間で放電を発生させて熱容量の小さな材料電極の放電点を融解、蒸発させ、その材料電極を高速で母材に接離させて融解した材料電極を母材上に付着させていく方法であり、圧着１回当りの溶着面積が徴小で全体的な熱変化が起こらず、しかも溶着部が急熱、急冷されるため、極めて密な被膜が得られる。また、この方法では溶着の瞬間に母材と付着した材料電極の成分の相互拡散・浸透もおこり、ＰＶＤ法、ＣＶＤ法で得られる被膜と違って生成された被膜の剥離が生じ難い。
【０００９】  本考案の被膜材料はタングステンを使用し、放電表面被膜加工により薄膜被膜を形成でき、高硬度化と剥がれ難さにより、摩耗、溶着が減少し耐久性が著しく向上する。
【考案実施の形態】
【００１０】  図１にＤＣ高容量遮断リレーの接点部の形態を示す。
【００１１】  図１の１は固定接点部品、２はロウ付け部、３は接点、４は可動接点である。
【００１２】  図２に、本考案の接点部の実施形態を示す。これはＤＣ高容量遮断リレー接点への適用例である。
【００１３】  図２の１は固定接点部品、５は放電表面被膜加工部（固定接点部品材と付着した電極材料成分の相互拡散・浸透部）、６は放電表面被膜加工タングステン接点である。
【００１４】  図３に、放電被膜加工装置によるタングステン被膜１０の形成法の概要を示す。加工槽９内に設けた電極材料（タングステン）７を取付けた被加工物を電気的導通が得られる状態にしてセットし、加工液（灯油系）１１中に浸漬させた。
【００１５】  電極材料（タングステン）７を加工液１１中に浸漬し、電源から通電して被加工物（接点部材）１２に対する電極材料（タングステン）７との間に放電を起こさせ、被加工物（接点部材）１２に対する電極材料（タングステン）７の接近、引き離しを高速で繰返して放電により溶けた電極材料（タングステン）７を被加工物の表面に少しずつ溶着させた。その処理を任意の表面に施すことによりタングステン薄膜被膜が形成できる。
【効果】
【００１６】  本考案のタングステン薄膜被膜は、接点部材の表面に剥離し難い硬質被膜を設けたので、耐摩耗性、耐溶着性が向上し、優れた耐久性を示す。
【実施例１】
【００１７】  ＤＣ高容量遮断リレー接点にタングステン薄膜被膜を形成した。この時のタングステン薄膜の厚みは２５μｍであった。【００１８】  ＤＣ高容量遮断リレー接点にタングステン薄膜被膜を形成した接点を用いたＤＣ高容量遮断リレーの開閉部の機械的耐久性実験を実施した。従来品と比較してタングステン薄膜被膜処理の接点は約２倍の耐久性があった。（従来品は２０万回以上対してタングステン薄膜被膜処理品は４０万回以上であった）また、最大遮断電流性能も同等であった。（ＤＣ４００Ｖ  １，０００Ａ：３回）
【図面の簡単な説明】
【００１９】
【図１】ＤＣ高容量遮断リレーの接点部図
【図２】本考案タングステン薄膜被膜接点部図
【図３】放電表面被膜加工装置原理図
【符号の説明】
【００２０】１固定接点部品
２ロウ付け部
３接点
４可動接点
５放電表面被膜加工部（母材と付着した材料電極の成分の相互拡散・浸透部）
６放電表面被膜加工タングステン接点
７電極材料（タングステン）
８微細なパルス放電
９加工槽
１０タングステン被膜
１１加工液
１２被加工物（接点部材）
【図１】
0003153155.tif 000003
【図２】
0003153155.tif 000004
【図３】
0003153155.tif 000005
(57)【要約】      （修正有）【課題】杓子のごとき食用汁物すくい上げ器具を用いて汁物をすくい上げる際に、簡便な操作で汁物に含まれる具の割合を調整できるようにした、食用汁物すくい上げ器具を提供する。【解決手段】手で把持するための柄と、汁物をすくい上げるために、柄の先端部に結合された皿状頭部とを備え、皿状頭部にすくい入れた汁物から柄の操作による皿状頭部の傾動調節に伴い汁を分別して排出するための小孔が、皿状頭部の柄への結合部分の近傍にのみ形成されている。また、皿状頭部の先端に、小孔から遠ざかるようにして上方へ張り出した縁部を有する凹湾曲型の先端張り出し部が形成されている。【選択図】図１
0003153160.tif 000002
【実用新案登録請求の範囲】
【請求項１】
汁の内部に具を含んで調理された汁物をすくい上げて移動できるように、手で把持するための柄と、上記汁物をすくい上げるために上記柄の先端部に結合された皿状頭部とを備え、上記皿状頭部にすくい入れた上記汁物から上記柄の操作による上記皿状頭部の傾動調節に伴い上記汁を分別し調整して排出するための小孔が、上記皿状頭部と上記柄との結合部分の近傍にのみ形成されていることを特徴とする、食用汁物すくい上げ器具。
【請求項２】
上記皿状頭部の先端部に、上記小孔から遠ざかるようにして上方へ張り出した縁部を有する凹湾曲型の先端張り出し部が形成されていることを形成されていることを特徴とする、請求項１に記載の食用汁物すくい上げ器具。
【考案の詳細な説明】
【技術分野】
【０００１】  本考案は、吸い物や味噌汁あるいはラーメンのごとく、汁のなかに野菜や肉類などの具を含ませるようにして調理された食用汁物を、配膳などの際にすくい上げて複数の食器に移し分ける場合などに用いられる「しゃもじ」あるいは「おたま」、「杓子」などと称される食用汁物すくい上げ器具に関する。
【背景技術】
【０００２】  一般に、図２に示すような杓子（おたま）Ｂで食用汁物をすくい上げる際に、汁物に含まれた具の割合を多くしたり具のみをすくい上げたりしたい場合は、杓子Ｂで具と汁とをすくい上げてから、箸で具を押さえるようにしながら、杓子Ｂを傾ける操作が必要になる。
【考案の開示】
【考案が解決しようとする課題】
【０００３】    本考案は、杓子のごとき食用汁物すくい上げ器具を用いて汁物をすくい上げる際に、簡便な操作で汁物に含まれる具の割合を調整できるようにした、食用汁物すくい上げ器具を提供することを課題とする。
【課題を解決するための手段】
【０００４】  前述の課題を解決するため、本考案の食用汁物すくい上げ器具は、吸い物や味噌汁のごとく汁の内部に具を含んで調理された汁物をすくい上げて移動できるように、手で把持するための柄と、上記汁物をすくい上げるために上記柄の先端部に結合された皿状頭部とを備え、上記皿状頭部にすくい入れた上記汁物から上記柄の操作による上記皿状頭部の傾動調節に伴い上記汁を分別して排出するための小孔が、上記皿状頭部の上記柄への結合部分の近傍にのみ形成されていることを特徴としている。【０００５】  また、本考案の食用汁物すくい上げ器具は、上記皿状頭部の先端に、上記小孔から遠ざかるようにして上方へ張り出した縁部を有する凹湾曲型の先端張り出し部が形成されていることを特徴としている。
【考案の効果】
【０００６】  上述の本考案の食用汁物すくい上げ器具では、その柄を手で把持しながら皿状頭部を汁物内に挿入して、所望の具と適宜の汁とをすくい上げてから、上記柄の傾動操作により、上記の皿状頭部と柄との結合部の近傍に形成された小孔を通じて、余分の汁だけを排出することができる。【０００７】  そして、上記小孔が上記の皿状頭部と柄との結合部分の近傍にのみ形成されていることにより、同皿状頭部内に具を残しながら汁のみを所望の分量だけ上記小孔を通じて排出するための上記柄の操作による上記皿状頭部の傾動調節が著しく容易に、かつ、能率よく行えるようになる利点が得られる。【０００８】  さらに、上記皿状頭部の先端部に、上記小孔から遠ざかるようにして上方へ張り出した縁部を有する凹湾曲型の先端張り出し部が形成されていると、おたま等の食物すくい上げ器具を用いる場合に、汁物を上記皿状頭部にすくい上げるに際して、上記先端張り出し部にも十分に汁物が入るように操作してから、上記皿状頭部における小孔を通じて上記汁物における汁を適量だけ排出するように調節することにより、銘々皿や汁椀などへの汁物の十分な盛り付けを効率よく適切に行うことが可能になる。
【実施例】
【０００９】  本考案による食用汁物すくい上げ器具について、図１は一実施例としての杓子（おたま）を示す斜視図である。【００１０】  図１に示す杓子Ｔでは、ラーメンのごとく汁の内部に野菜や肉などの具を含んで調理された汁物をすくい上げて各銘々皿などへ移動できるように、手で把持するための柄１と、汁物をすくい上げるために柄１の先端部に結合された皿状頭部２とが備えられている。【００１１】  そして、皿状頭部２にすくい入れた汁物から柄１の操作による皿状頭部２の傾動調節に伴い汁だけを適宜分別して排出するための複数の小孔３が、皿状頭部２と柄１との結合部分の近傍にのみ形成されている。【００１２】  上述のように構成された本実施例の食用汁物すくい上げ器具では、その柄１を手で把持しながら皿状頭部２を汁物内に挿入して、所望の具と適宜の汁とをすくい上げてから、柄１の傾動操作により、皿状頭部２と柄１との結合部付近に形成された小孔３を通じて、余分の汁だけを適切に排出することができる。【００１３】  そして、小孔３が皿状頭部２と柄１との結合部分の近傍にのみ形成されていることにより、同皿状頭部２の内部に具を残しながら汁のみを所望の分量だけ小孔３を通じて排出するための柄１の操作が、皿状頭部２の傾動を調節しながら著しく容易に行えるようになる利点が得られる。【００１４】  また、皿状頭部２の先端部に、小孔３から遠ざかるようにして上方へ張り出した縁部を有する凹湾曲型の先端張り出し部２ａが形成されているので、杓子Ｔを用いる場合に、汁物を皿状頭部２にすくい上げるに際して、先端張り出し部２ａにも十分に汁物が入るように操作してから、柄１と皿状頭部２との結合部分の近傍における小孔３を通じて上記汁物における汁を適量だけ排出するように調節することにより、銘々皿などへの汁物の適切な盛り付けを、効率よく迅速に行うことが可能になる。
【図面の簡単な説明】
【００１５】
【図１】  本考案の一実施例としての食用汁物すくい上げ器具を示す斜視図である。
【図２】  従来の食用汁物すくい上げ器具の一例を示す斜視図である。
【符号の説明】    １      柄
２      皿状頭部
２ａ    先端張り出し部
３      小孔
Ｔ      杓子
【図１】
0003153160.tif 000003
【図２】
0003153160.tif 000004
(57)【要約】      （修正有）【課題】レンゲのごとき食事用さじについて、ラーメンのような汁物をすくい上げた際に、簡便な傾動操作で汁に含まれる具の割合を調整できるさじを提供する。【解決手段】柄１の先端部に皿状頭部２を結合されたレンゲＲのごとき食事用さじにおいて、皿状頭部２にすくい入れた汁物から柄１の傾動調節Ｋに伴い汁を分別し調整して排出するための小孔３が、柄１と皿状頭部２との結合部分の近傍にのみ形成され、柄１の傾動調節Ｋの際に柄１に向かう汁の流れを堰止めるための立壁部４が形成される。【選択図】図１
0003153159.tif 000002
【実用新案登録請求の範囲】
【請求項１】
汁の内部に具を含んで調理された汁物をすくい上げて口元へ移動できるように、手で把持するための柄と、上記汁物をすくい上げるために上記柄の先端部に結合された皿状頭部とを備え、上記皿状頭部にすくい入れた上記汁物から上記柄の操作による上記皿状頭部の傾動調節に伴い上記汁物に含まれる汁を分別し調整して排出するための小孔が、上記皿状頭部と上記柄との結合部分の近傍にのみ形成されていることを特徴とする、食事用さじ。
【請求項２】
上記皿状頭部と上記柄との結合部分において、上記皿状頭部にすくい入れた上記汁物から同皿状頭部の傾動調節に伴い上記小孔を通じて上記汁を排出する際に、同汁の上記柄に向かう流れを堰止めするための立壁部が形成されていることを特徴とする、請求項１に記載の食事用さじ。
【考案の詳細な説明】
【技術分野】
【０００１】  本考案は、吸い物や味噌汁あるいはラーメンのごとく、汁の中に具を含んで調理された汁物をすくい上げて食事を行うのに適したスプーンやレンゲなどと称される食事用さじに関する。
【背景技術】
【０００２】  一般に、ラーメンのごとき汁物については、食事の際にレンゲと称される図２に示すような食事用さじＡがもちいられるが、汁物に含まれる具だけをすくい上げたい場合は、さじＡの内部に汁と共にすくい取った具を箸で押さえるようにして、同さじＡを傾けるなどの面倒な操作を必要とする。
【考案の開示】
【考案が解決しようとする課題】
【０００３】    本考案は、レンゲのごとき食事用さじについて、汁物をすくい上げる際に、簡便な操作で汁に含まれる具の割合を調整できるようにした食事用さじを提供することを課題とする。
【課題を解決するための手段】
【０００４】  前述の課題を解決するため、本考案の食事用さじは、吸い物や味噌汁のごとく汁の内部に具を含んで調理された汁物をすくい上げて口元へ移動できるように、手で把持するための柄と、上記吸い物をすくい上げるために上記柄の先端部に結合された皿状頭部とを備え、上記皿状頭部にすくい入れた上記汁物から上記柄の操作による上記皿状頭部の傾動調節に伴い上記汁物に含まれる汁を分別し調整して排出するための小孔が、上記皿状頭部と上記柄との結合部分の近傍にのみ形成されていることを特徴としている。【０００５】  また、本考案の食事用さじは、上記皿状頭部と上記柄との結合部分において、上記皿状頭部にすくい入れた上記汁物から同皿状頭部の傾動調節に伴い上記小孔を通じて上記汁を排出する際に、同汁の上記柄に向かう流れを堰止めするための立壁部が形成されていることを特徴としている。
【考案の効果】
【０００６】  上述の本考案の食事用さじでは、その柄を手で把持しながら皿状頭部を汁物内に挿入して、所望の具と適宜の汁とをすくい上げてから、上記柄の傾動操作による上記皿状頭部の傾動調節により、上記の皿状頭部と柄との結合部分に形成された小孔を通じて余分の汁だけを適宜に排出することができる。【０００７】  そして、上記小孔が上記の皿状頭部と柄との結合部分の近傍にのみ形成されていることにより、同皿状頭部内に具を残しながら汁のみを所望の分量だけ上記小孔を通じて排出するための上記柄の操作による上記皿状頭部の傾動調節が著しく容易に行えるようになる利点が得られる。【０００８】  さらに、上記皿状頭部と上記柄との結合部分において、上記皿状頭部へすくい入れた汁物から同皿状頭部の傾動調節により上記小孔を通じて汁だけを排出する際に、同汁の上記柄に向かう流れを堰止めするための立壁部が形成されていると、同立壁部に沿って汁の液位が高められることにより、上記小孔を通じて、汁だけを流出させる操作が著しく効率よく行われる。【０００９】  特に中華料理で用いられる食事用さじとしてのレンゲの場合は、柄の上面に沿い開口した溝が形成されているため、上記立壁部による汁の堰止め作用が、上記小孔を通じ汁のみを排出させる際に著しく役立つようになる。
【実施例】
【００１０】  本考案による食事用さじについて、図１は一実施例としてのレンゲを示す斜視図である。【００１１】  図１に示すレンゲＲでは、ラーメンのごとく汁の内部に野菜や肉などの具を含んで調理された汁物をすくい上げて口元へ移動できるように、手で把持するための柄１と、汁物をすくい上げられるように柄１の先端部に結合された皿状頭部２とが備えられており、柄１の上面には溝１ａが形成されている。【００１２】  そして、皿状頭部２にすくい入れた汁物から柄１の操作による皿状頭部２の傾動調節Ｋに伴い汁を適宜分別して排出するための複数の小孔３が、皿状頭部２と柄１との結合部分の近傍にのみ形成されている。【００１３】  又、皿状頭部２へすくい入れた汁物から同皿状頭部２の傾動調節により小孔３を通じて汁だけを排出しようとする際に、汁が柄１の溝１ａに沿って流れようとするので、このような柄１に向かう汁の流れを堰止めするために、柄１と皿状頭部２との境界部には立壁部４が形成されている。【００１４】  上述の実施例１の食事用さじでは、その柄１を手で把持しながら皿状頭部２を汁物内に挿入して、所望の具と適宜の汁とをすくい上げてから、柄１の傾動調節Ｋにより、皿状頭部２に形成された小孔３を通じて余分の汁のみを排出することができる。【００１５】  そして、小孔３が皿状頭部２と柄１との結合部分の近傍にのみ形成されていることにより、同皿状頭部２の内部に具を残しながら汁のみを所望の分量だけ小孔３を通じて排出するための柄１の操作による皿状頭部２の傾動調節Ｋが、著しく容易に行えるようになる利点が得られる。【００１６】  また、皿状頭部２と柄１との結合部分において、皿状頭部２へすくい入れた汁物から同皿状頭部２の傾動調節Ｋにより小孔３を通じて汁だけを排出する際に、同汁の柄１の溝１ａに向かう流れを堰止めするための立壁部４が形成されていることにより、小孔３を通じて、汁だけを流出させる操作が著しく効率よく行われるようになる。【００１７】  特に中華料理の食事の際にさじとして用いられるレンゲＲの場合は、柄１の上面に沿い開口した深い溝１ａが形成されているため、立壁部４による汁の堰止め作用が、小孔３を通じ汁のみを排出させる際に著しく役立つようになる。
【図面の簡単な説明】
【００１８】
【図１】  本考案の一実施例としての食事用さじを示す斜視図である。
【図２】  従来の食事用さじの一例を示す斜視図である。
【符号の説明】
【００１９】１    柄
１ａ  溝
２    皿状頭部
３    小孔
４    立壁部
Ａ    従来の食事用さじ
Ｋ    傾動調節
Ｒ    レンゲ
【図１】
0003153159.tif 000003
【図２】
0003153159.tif 000004
(57)【要約】      （修正有）【課題】掃除機を利用し害虫を吸引力により吸い取り掃除機前方に設けた容器内に格納した虫収納袋に溜め駆除することができる虫捕り収納容器を提供する。【解決手段】掃除機を駆動することにより吸引力が発生し先端ノズル４を害虫に近づけると吸い込まれ吸引ホース３或いは高所用伸縮パイプを通して容器内の虫収納袋６に溜まるので掃除機本体には入り込まないで済み溜まった虫等は虫収納袋ごと廃棄できるよう構成する。【選択図】図１
0003153173.tif 000002
【実用新案登録請求の範囲】
【請求項１】
家庭用電気掃除機の吸引力を利用した虫捕り容器において
（イ）容器本体（２）の片端はパイプにより電気掃除機の吸引口に接続するようになっていて容器内には虫収納袋（６）が収められている。
（ロ）虫収納袋（６）は布製または使用済みのストッキング製であり収納袋止め具（９）で固定し使用後は取り外し交換できるようになっている。
（ハ）電気掃除機接続の反対側には吸引ホース（３）が接続してあり先端に吸引ノズル（４）が設けられ当該吸引ノズル（４）は高所パイプ用先端ノズル（７）又は葉花虫取り延長先端ノズル（８）と交換できるようになっている。
（ニ）吸引ホース（３）は高所使用伸縮パイプ（５）に交換できるようになっている。
以上の構成よりなる虫捕り容器。
【考案の詳細な説明】
【技術分野】
【０００１】  考案は各地で大発生のマイマイ蛾のような害虫を駆除するための駆除収納容器に関するものです。
【背景技術】
【０００２】  従来の害虫駆除は薬剤による殺虫のやり方やトーチランプで火力により焼き殺す方法があるがこれは火災の心配があり現に火災の発生もある。また薬剤による殺虫はマイマイ蛾には効果が薄く幼虫のときに駆除するやり方が第一である。成虫になってでは遅く各会社の駆除作業に手間と費用がかかり繁殖してマイマイ蛾の大量発生に頭を悩ませている。
【考案の概要】
【０００３】  薬剤の使用は外にも害を与え経費もかかる。あれこれ考えた末吸引で捕ることが一番であると考え各家庭にある掃除機を利用し害虫を吸引力により吸い取ることとし吸引した虫等が直接掃除機内に吸い込まれないように前方に虫溜め袋を格納した虫収納容器を取り付けた。
【課題を解決するための手段】
【０００４】  掃除機に汚物やら虫などが入ると使用に支障をきたしたり嫌われたりすることが考えられるので掃除機の前方に虫収納容器を設けることとした。
本考案の目的は（１）本体の掃除機の中に虫が吸い込まれないように防護する役目をして害虫を虫溜め袋（６）内に吸引するようにした容器である。
（１）の掃除機の作動により（２）の収納容器に虫が吸い込まれ（６）の虫収納袋の中に溜まるのである。（３）は吸引ホース（４）は吸引口先端口でノズルで（５）は高所の場合の先を延長する伸縮パイプホースである。（６）は虫の吸引の収納袋でこれは古い靴下ストッキングでも良い。（７）は高所パイプ吸引ノズル
【考案の効果】
【０００５】  従来の薬剤による駆除方法では限界があるが幼虫または卵のうちに吸い取り成虫になる前に駆除する方法が一番効果的である。
本考案は掃除機に直接虫などが吸い込まれることがなく収納容器内の虫収納袋に溜まり、当該袋は使用済みのストッキング等で可能なため吸引した虫などをそのまま処分できて楽であり製品の制作費も安価にできる。
【図面の簡単な説明】
【０００６】
【図１】掃除機に取り付けた全体図
【図２】延長パイプを取り付けた全体図
【図３】本体容器図１
【図４】本体容器図
【図５】本体容器分解図
【図６】延長パイプ図
【図７】葉や花についた虫を捕る先端の交換図
【考案を実施するための最良の形態】
【実施例】
【０００７】  （イ）（１）の本体掃除機の吸引口にパイプを通し掃除機に虫などが吸い込まれないように前方に吸い込み容器（本考案容器）を取り付ける。
（ロ）本考案容器内には虫収納袋（６）が格納されていて収納袋止め具（９）により（３）の吸引ホースにつながっていて吸引ホースの先は交換可能な吸引ノズル（４）を接続する。
（ハ）当該吸引ホースは高所使用時には伸縮するパイプに交換できるようになっていてその先には交換可能な葉や花についた虫を捕る先端ノズル（８）を接続する。
（ニ）本考案容器は取り外し可能な容器で作り中に虫の入る袋虫収納袋を取り付けて簡単に輪ゴムなどで止める交換できるようにする。
（ホ）成虫を駆除するには（２）の容器と（７）の先端ノズルを交換する。
掃除機を駆動することにより吸引力が発生し先端ノズルを害虫に近づけると吸い込まれ吸引ホース或いは高所用伸縮パイプを通して本考案容器内の虫収納袋に溜まるので掃除機本体には入り込まないで済み溜まった虫等は虫収納袋ごと廃棄する。
収納袋は使用済みの靴下ストッキングでも良い。
【符号の説明】
【０００８】１，  掃除機全体
２，  吸引容器
３，  吸引ホース
４，  吸引ノズル
５，  高所用伸縮パイプ
６，  虫収納袋
７，  高所パイプ用先端ノズル
８，  葉花虫取り延長先端ノズル
９，  収納袋止め具
【図１】
0003153173.tif 000003
【図２】
0003153173.tif 000004
【図３】
0003153173.tif 000005
【図４】
0003153173.tif 000006
【図５】
0003153173.tif 000007
【図６】
0003153173.tif 000008
【図７】
0003153173.tif 000009
(57)【要約】      （修正有）【課題】ボウルの高さを使用者の背の高さに応じて調整できる、はね上げ式水洗小便器を提供する。【解決する手段】ボウル１が前後左右上下どの方向にも自在に可動する。ボウルの縁を股に押し当ててボウルの中に排尿することで便器まわりを汚す事が無い。またボウルを前方に傾斜させると同時にバルブ５から水がボウルの先端に送られボウルの内面を洗浄する、使用しない時はボウルをはね上げ止水する。【選択図】図１
0003153178.tif 000002
【実用新案登録請求の範囲】
【請求項１】
はね上げ式水洗小便器は、ボウルが前後左右上下とどの方向にも自在に可動する、ボウルの縁を股に押し当ててボウルの中に排尿する、ボウルを前方に傾斜させると同時にバルブから水がボウルの先端に送られ、ボウルの内面を洗浄する、使用しない時はボウルをはね上げ止水することを特徴とする、はね上げ式水洗小便器の構造。
【考案の詳細な説明】
【技術分野】
【０００１】本考案は、ボウルの高さ調整及び前後左右どの方向にも自在に可動する、はね上げ式小便器に関する。
【背景技術】
【０００２】加齢とともに身体機能低下により、便器周りを汚す事が多い。
【考案の開示】
【考案が解決しようとする課題】
【０００３】使用者と小便器の距離が離れている場合が多いため、小便の跳ね返りが生じて小便器の周囲を汚す等の課題がある。
【課題を解決するための手段】
【０００４】はね上げ式水洗小便器は、ボウルと伸縮配水管、ジョイント、ジャバラ排水管、バルブ及びバルブのレバーから構成される。
はね上げ式水洗小便器は、ボウルが前後左右上下とどの方向にも自在に可動する、ボウルの縁を股に押し当ててボウルの中に排尿すれば便器の周囲を汚す事が無い、またボウルを前方に傾斜させると同時にバルブから水がボウルの先端に送られボウルの内面を洗浄して、ジャバラ排水管から排水する。
使用しない時はボウルをはね上げ止水する。
尿汚れ防止に役立つ。
【考案の効果】
【０００５】はね上げ式水洗小便器は、ボウルの高さ調節する事により背の高い人低い人、子供から大人まで好ましい状態で小便することができる、さらにボウルの縁を股に押し当てボウルの中に排尿する事で周囲を汚すことなく、好ましい状態で小便する事ができる。
【考案の実施すための最良の形態】
【０００６】ボウルを前方に傾斜させ、ボウルの縁を股に押し当てボウルの中に排尿すると同時に、バルブから水がボウルの先端に送られボウルの内面を洗浄しジャバラ排水管から排水する、使用しない時はボウルをはね上げ止水する。
【実施例】
【０００７】図面に従って説明する。
１はプラスチック等で形成されたボウル。
２は高さ調整する伸縮排水管で、使用者に応じて高さ調整する。
３はジョイントで伸縮排水管と４のジャバラ排水管をつなぎ洗浄水を排水する。
５はバルブで６のレバーを前方に傾斜させるとバルブから水が１２の給水ホースを通じてボウルの先端に送られボウルの内面を洗浄する、ボウルをはね上げ止水する。
【図面の簡単な説明】
【０００８】
【図１】本考案の側面図である。
【符号の説明】  １    ボウル
２    伸縮排水管
３    ジョイント
４    ジャバラ排水管
５    バルブ
６    レバー
７    前後軸
８    左右軸
９    軸受
１０    給水入口
１１    ボウルをはね上げた状態
１２    給水ホース
１３    ボウル先端
１４    ボウルの縁
１５    壁
１６    床
【図１】
0003153178.tif 000003
(57)【要約】      （修正有）【課題】各種帽子本来の形を保ち通気性に優れ脱落を防ぎ各種帽子を、場所を固定せず何所にでも使用でき、整理、陳列場所の削減などに貢献する円形帽子ハンガーを提供する。【解決手段】帽子のクラウン表地の裏面と、クラウンとひさし部との境界に設けた帯状の滑りの裏地との間に、装着し得る線状体からなる円形部１０と、該円形部１０に連結部を介して連結されている引っ掛け部１２とからなる。円形部１０には、線状体の一端が固定され、他端部が摺導し得る孔を有する調節部２０を備え、連結部は、引っ掛け部１２、の下方部が摺導可能な挿通孔を、挿通孔の直角方向に前記線状体１０の他端とが固定されているＬ字型調節部２１と、固定された他端と、調節部２０の挿通孔から挿出する線状体１０の他端部との間は、滑りを跨ぐようにＵ字状に形成されたＵ字型部１１とからなる。【選択図】図１
0003153175.tif 000002
【実用新案登録請求の範囲】
【請求項１】
帽子のクラウン表地の裏面と、クラウンとひさし部との境界に設けた帯状の滑りの裏地との間に装着し得る線状体からなる円形部と、
該円形部に連結部を介して連結されている引っ掛け部とからなる円形帽子ハンガーであって、
前記円形部には、前記線状体の一端が固定され、他端部が摺導し得る孔を有する調節部を備え、
前記連結部は、前記引っ掛け部の下方部が摺導可能な挿通孔を、該挿通孔の直角方向に前記線状体の他端が固定されているＬ字型調節部と、前記固定された他端と前記調節部の挿通孔から挿出する前記線状体の他端部との間は、前記滑りを跨ぐようにＵ字状に形成されたＵ字型部とからなる、
ことを特徴とする円形帽子ハンガー。
【考案の詳細な説明】
【技術分野】
【０００１】  本考案は、帽子のクラウン表地の裏面と、クラウンとひさし部との境界に設けた帯状の滑りの裏地との間に装着し得る線状体からなる円形部と、  該円形部に連結部を介して連結されている引っ掛け部とからなる円形帽子ハンガーで、  前記円形部には、前記線状体の一端が固定され、他端部が摺導し得る孔を有する調節部を備え、  前記連結部は、前記引っ掛け部の下方部が摺導可能な挿通孔を、該挿通孔の直角方向に前記線状体の他端が固定されているＬ字型調節部と、前記固定された他端と前記調節部の挿通孔から挿出する前記線状体の他端部との間は、前記滑りを跨ぐようにＵ字状に形成されたＵ字型部とからなる、円形帽子ハンガー。
【背景技術】
【０００２】  従来、帽子掛けが種々開発されている。例えば、折り畳み式帽子掛けとして、固定された本体下部に連結された腕の先端に帽子輪が付けられている（例えば、特許文献１参照）又、形崩れ防止用帽子ハンガーとして、前部材と後部材に連結軸を介して近接離間自在に連結され後部材に引っ掛けフックが付けられている（特許文献２参照）
【先行技術文献】
【特許文献】
【０００３】
【特許文献１】実開  平２−４０２７４号、
【特許文献２】特開  平９−２０１２６８号，
【考案の概要】
【考案が解決しようとする課題】
【０００４】  しかしながら前記円形帽子ハンガーは、本来の形を保ち通気性も良く、場所も固定せず何所でも使用でき、各種帽子に装着可能である、従来式では果たせない。
【課題を解決するための手段】
【０００５】  本考案に係わる円形帽子ハンガーは、上述した目的を達成するため、以下の特徴点を備えている、すなわち本考案に係わる円形帽子ハンガーは、帽子のクラウン表地の裏面と、クラウンとひさし部との境界に設けた帯状の滑りの裏地との間に、装着し得る線状体からなる円形部と、該円形部に連結部を介して連結されている引っ掛け部とからなる円形帽子ハンガーで、前記円形部には、前記線状体の一端が固定され、他端部が摺導し得る孔を有する調節部で各種帽子、各サイズに合わせ元の形を崩さず装着し、前記連結部は、前記引っ掛け部の下方部が摺導可能な挿通孔を、該挿通孔の直角方向に前記線状体の他端が固定されているＬ字型調節部で、前後上下左右自在で手軽に移動可能で、各種帽子に何所でも使用でき、前記固定された他端と前記調節部の挿通孔から挿出する前記線状体の他端部との間は、前記滑りを跨ぐようにＵ字状に形成されたＵ字型部で、帯状の滑りの裏地を跨ぎ形を護る。
【考案の効果】
【０００６】  本考案に係わる円形帽子ハンガーによれれば、置き場所に苦慮し放置されがちの帽子が形くずれ、脱落する事なく手軽に各種帽子に何所でも使用できる。
【図面の簡単な説明】
【０００７】
【図１】本考案の実施形態に係わる円形帽子ハンガーの正面図
【図２】本考案の実施形態に係わる円形帽子ハンガーの調節部およびＬ字型調節部の拡大側面図
【図３】本考案の実施状態に係わる帽子裏面の斜視図
【考案を実施するための形態】
【０００８】  以下、図面を参照して、本考案に係わる円形帽子ハンガーの実施形態を説明する
図１は、本考案の実施形態に係わる円形帽子ハンガーの正面図、図２は、本考案の実施形態に係わる円形帽子ハンガーの調節部およびＬ字型調節部の拡大側面図、図３は、本考案の実施状態に係わる帽子裏面の斜視図である、
帽子のクラウン表地３２の裏面と、クラウンとひさし部３１との境界に設けた帯状の滑りの裏地３０との間に、装着し得る線状体からなる円形部１０と、
該円形部１０に連結部を介して連結されている引っ掛け部１２とからなる円形帽子ハンガーであって、
前記円形部１０には、前記線状体の一端ａが固定され、他端部が摺導し得る孔ｂを有する調節部２０を備え、
前記連結部は、前記引っ掛け部１２、の下方部が摺導可能な挿通孔ｄを、該挿通孔ｄの直角方向に前記線状体１０の他端ｃとが固定されているＬ字型調節部２１と、
前記固定された他端ｃと、前記調節部２０の挿通孔ｂから挿出する前記線状体１０の他端部ａとの間は、前記滑り３０を跨ぐようにＵ字状に形成されたＵ字型部１１とからなる。
【実施例】
【０００９】  本考案の実施例に係わる円形帽子ハンガーは、各種帽子、各サイズを問わず手軽に何所でも使用可能で、形くづれや脱落がなく重宝である。
【産業上の利用可能性】
【００１０】  本考案に係わる円形帽子ハンガーは、棚に並べる陳列が現状で、お客様は手にとって選ぶ外なく不便でしたが、お客様の目線で各種帽子が何所にでも陳列可能で、販売面積の削減や販売促進に効果的。
【符号の説明】
【００１１】１０  帽子のクラウン表地の裏面と、クラウンとひさし部との境界に設けた帯状の滑りの裏地の間に装着しうる、線状体の円形部
１１  帯状の滑りの裏地を、跨ぐＵ字型部
１２  ハンガーを吊るす、引っ掛け部
２０  サイズを合わせる調節部
２１  引っ掛け部を、前後左右上下に促すＬ字型調節部
３０  帯状の滑りの裏地
３１  帽子の、ひさし
３２  帽子の、クラウン表地
ａ  調節部２０の線状体の一端の固定部
ｂ  調節部２０の線状体の挿通孔
ｃ  Ｌ字型調節部の他端の固定部
ｄ  Ｌ字型調節部の挿通孔
【図１】
0003153175.tif 000003
【図２】
0003153175.tif 000004
【図３】
0003153175.tif 000005
(57)【要約】      （修正有）【課題】水の環境や通気性が非常に良く、水が溜まって花や草木の根を腐らせるのを防止する為の特殊な加工をする必要のない植木鉢を提供する。【解決手段】本の植木鉢は、本がゴミとなって捨てられたり、商品としての需要や価値がなくなり低価格で売買されている本を回収、または買い付ける。そして集めた本のカバーを見開き、見返し部分を残した状態で、本文部分だけをくり抜き、くり抜かれた本文の中部分に花／草木、そして土を敷き詰めることにより、植木鉢として利用する。【選択図】図１
0003153172.tif 000002
【実用新案登録請求の範囲】
【請求項１】
本のカバーを見開き、見返し部分を残した状態で、本文部分だけをくり抜き、くり抜かれた本文の中部分に花／草木、そして土を敷き詰めることが可能な本の植木鉢。
【考案の詳細な説明】
【技術分野】
【０００１】本考案は、花や草木を入れる為の植木鉢に関するものである。
【背景技術】
【０００２】今まで紙媒体から得ていた様々な情報が、今ではインターネットによって容易に誰でも情報を得ることができるようになったことで、現代人の本離れは加速し、今まで生活の中であたり前のように身近にあった本はインターネット利用者の増加により近年「もの」としての需要や価値がなくなった。必要のなくなった本は低価格で売買されるかゴミとして廃棄されている。
【考案の概要】
【考案が解決しようとする課題】
【０００３】本考案は、上記の理由からゴミを処理することがあっても、ただ捨てられるだけの本は地球環境にも悪影響を及ぼし、ゴミを処理するのにもお金がかかる現代ではいかにゴミを減らし再利用できるかを解決しようとするものである。
【課題を解決するための手段】
【０００４】上記の課題を解決する為に、本考案に関わる本の植木鉢は、本がゴミとなって捨てられたり、商品としての需要や価値がなくなり低価格で売買されている本を回収、または買い付ける。そして集めた本のカバーを見開き、見返し部分を残した状態で、本文部分だけをくり抜き、くり抜かれた本文の中部分に花／草木、そして土を敷き詰めることにより、植木鉢として利用する。
【考案の効果】
【０００５】上述の様に、本考案の本を利用した植木鉢は、ゴミを減らし地球環境に非常に良い効果がある。また、本が朽ちていき土に還っていく様子を楽しむ観賞用としての価値も大きい。さらに、従来の植木鉢は水やりをした際に花や草木を腐らせない為に植木鉢の下部に穴が空いていて水を流す形状になっているものが多かったのだが、本案の植木鉢は下部に穴が空いていなくても本が水分を吸い取るため、水の循環や通気性が非常に良く水が溜まって花や草木の根を腐らせるのを防止する為の特殊な加工などをする必要はない。
そして、本文がばらけないように予めくり抜いた本文部分切断面に水で溶かしたボンドを付けて本文同士を固定しておき、土が定着するまで本文の間から土や水が漏れにくくするという効果もある。
【図面の簡単な説明】
【０００６】
【図１】本考案の斜視図である。
【図２】本考案に花や草木を植えた実施例の断面図である。
【符号の説明】１  本のくり抜き部
２  本の本文部分
３  花、又は草木
４  花、又は草木の根
５  本をくり抜いた切断面
６  土
【図１】
0003153172.tif 000003
【図２】
0003153172.tif 000004
(57)【要約】      （修正有）【課題】放熱性を向上させたブレーキディスクを提供する。【解決手段】ブレーキディスクの貫通孔を、穿設方向を軸心方向に対して非平行とし、さらに貫通孔開口部の形状を、軸心方向に対して非平行軸を有する円錐がブレーキディスク左右側面におのおの描く投影形状とし、かつ該円錐の頂点を該ブレーキディスク側面の左右に配して穿設することを特徴とする。【選択図】図３
0003153177.tif 000002
【実用新案登録請求の範囲】
【請求項１】
ブレーキディスクの貫通孔を、穿設方向を軸心方向に対して非平行とし、さらに貫通孔開口部の形状を、軸心方向に対して非平行軸を有する円錐がブレーキディスク左右側面におのおの描く投影形状とし、かつ該円錐の頂点を該ブレーキディスク側面の左右に配して穿設することを特徴とするブレーキディスク。
【考案の詳細な説明】
【技術分野】
【０００１】  本考案は車両の前輪または後輪に装着されるディスクブレーキ装置のブレーキディスクに関するものである。
【背景技術】
【０００２】  従来、車両の制動装置としてディスクブレーキ装置が広く採用されている。ディスクブレーキ装置は車輪の側方で該車輪と同軸上に配置される円盤形状のブレーキディスク、該ブレーキディスクを両側から挟んで制動するブレーキパッドおよび該ブレーキパッドを内蔵するキャリパを備えている。【０００３】  走行中、ブレーキディスクは車輪と共に回転し、運転者がブレーキ操作をすることによりキャリパが作動し、ブレーキパッドが該ブレーキディスクを両側から大きな圧力で摺接して制動する。この時該ブレーキディスクと該ブレーキパッドには摩擦熱が生じ、該ブレーキディスクは熱により反り等の変形が発生する。【０００４】  ブレーキディスクの変形を抑制するためには該ブレーキディスクの摩擦熱を放散する必要があり、軸心方向に平行に、かつ左右側面の開口部の径が同径の、放熱用の貫通孔が該ブレーキディスクに穿設されている。
【考案の概要】
【考案が解決しようとする課題】
【０００５】  本考案はブレーキディスクの貫通孔に流入し、流出する空気量を増加してさらに放熱性を向上させるものである。
【課題を解決するための手段】
【０００６】  通常のブレーキディスクは軸心方向に平行に、かつ該ブレーキディスク側面の左右の開口部の径が同径の円形状の貫通孔が穿設されている。
本考案ではブレーキディスクの貫通孔を、穿設方向を軸心方向に対して非平行とするものであり、さらに貫通孔開口部の形状を、軸心方向に対して非平行軸を有する円錐がブレーキディスク左右側面におのおの描く投影形状とし、かつ該円錐の頂点を該ブレーキディスク側面の左右に配して穿設することにより、上記課題を解決するものである。
【考案の効果】
【０００７】  前述のように貫通孔を穿設することにより、ブレーキディスク貫通孔左右の開口部面積に差異が生じるため、車両走行時、走行風により貫通孔開口部の左右において気圧差が発生し、この結果、貫通孔に流入し、流出する空気量が従来にくらべて増加する。
【考案を実施するための形態】
【０００８】  ブレーキディスクの貫通孔を、穿設方向を軸心方向に対して非平行とし、さらに貫通孔開口部の形状を、軸心方向に対して非平行軸を有する円錐がブレーキディスク左右側面におのおの描く投影形状とし、かつ該円錐の頂点を該ブレーキディスク側面の左右に配して穿設する。
【実施例】
【０００９】  従来の貫通孔を穿設したブレーキディスク１は図１および図２に示すように貫通孔２の左右の開口部２ａは径が左右同径である円形状が大半である。本考案の一実施例を図３および図４に示す。ブレーキディスク３には図３および図４に示すように貫通孔４を、穿設方向を軸心方向に対して非平行とし、さらに貫通孔開口部４ａおよび４ｂの形状を、軸心方向に対して非平行軸を有する円錐がブレーキディスク左右側面におのおの描く投影形状とし、かつ該円錐の頂点５を該ブレーキディスク側面の左右に配して穿設する。
【図面の簡単な説明】
【００１０】
【図１】従来のブレーキディスクの平面図である。
【図２】従来のブレーキディスクのＡ−Ａ断面図である。
【図３】本考案の一実施例を示すブレーキディスクの平面図である。
【図４】本考案の一実施例を示すブレーキディスクのＢ−Ｂ断面図である。
【図５】本考案の他の実施例を示すブレーキディスクの平面図である。
【図６】本考案の他の実施例を示すブレーキディスクのＣ−Ｃ断面図である
【符号の説明】
【００１１】  １は従来のブレーキディスクである。
２は従来のブレーキディスクの貫通孔である。
２ａは従来のブレーキディスクの貫通孔の開口部である。
３は本考案の一実施例を示すブレーキディスクである。
４は本考案の一実施例を示すブレーキディスクの貫通孔である。
４ａは本考案の一実施例を示すブレーキディスクの貫通孔の円錐頂点側開口部である。
４ｂは本考案の一実施例を示すブレーキディスクの貫通孔の円錐頂点反対側開口部である。
５は円錐頂点である。
６は本考案の他の実施例を示すブレーキディスクである。
７は本考案の他の実施例を示すブレーキディスクの貫通孔である。
７ａは本考案の他の実施例を示すブレーキディスクの貫通孔の円錐頂点側開口部である。
７ｂは本考案の他の実施例を示すブレーキディスクの貫通孔の円錐頂点反対側開口部である。
【図１】
0003153177.tif 000003
【図２】
0003153177.tif 000004
【図３】
0003153177.tif 000005
【図４】
0003153177.tif 000006
【図５】
0003153177.tif 000007
【図６】
0003153177.tif 000008